(57)【特許請求の範囲】
【請求項１】
側壁及び底部によって囲まれた立方体を２箇所の堰板によって、流入槽、第1分離槽及び第２分離槽の３槽に形成したＦＲＰ製の路面排水処理槽において、該流入槽は、上流側の側壁上部に排水溝と連結される路面排水の受け入れ口となる流入口、第1堰板に第1流出口を各々ほぼ対角線となる位置に設け、該流入口と第1流出口との間には第1仕切板を兼ねる防波スクリーンを設けてなり、該第1分離槽は、該第1堰板に設けた第1流出口に対し第２堰板のほぼ対角線となる位置に第２流出口を設け、該第1流出口と第２流出口との間には第２仕切板を設けてなり、該第２分離槽は、該第２堰板に設けた第２流出口に対し下流側の側壁のほぼ対角線となる位置の上部に第３流出口を設け、該第３流出口の内側は該側壁に沿って形成した下部に開口を設けた箱型流路ボックスと連結し、外側は排水管と連結してなることを特徴とする事故対策と浄化を目的とする路面排水処理槽。
【請求項２】
防波スクリーンは、多数の縦方向の棒状体を間隔を有して形成し、その上部に板状体の第1仕切板を設けてなり、上流側側壁と第1堰板間に架け渡ししてなることを特徴とする請求項１記載の事故対策と浄化を目的とする路面排水処理槽。
【請求項３】
防波スクリーンは、上流側側壁と第1堰板間に着脱自在或いは一体的に架け渡してなることを特徴とする請求項２記載の事故対策と浄化を目的とする路面排水処理槽。
【請求項４】
第２仕切板は、板状で底部側に開口部が生じるように第1堰板と第２堰板間に架け渡ししてなることを特徴とする請求項１乃至３記載の事故対策と浄化を目的とする路面排水処理槽。
【発明の詳細な説明】
【技術分野】
【０００１】
本発明は、一般道路や高速自動車道路等の道路面から集水されるゴミ等の不純物や油分を含んだ夾雑物混入の排水から不純物と油分を取り除いて浄水化し、その浄水を別途排水するための路面排水処理槽に関するものである。
【背景技術】
【０００２】
一般道路や高速自動車道路等は、交通量の増大、車両の大型化、重量化等によって、その路面から生じる排水には、土砂、草木、塵埃、タイヤ屑等の各種不純物や、オイル等の油分等の様々な夾雑物が多く含まれている。また、事故等によって路面に多量に油分が流出することがある。これらの状態のものがそのまま排水されるとなると近辺の水田や池等に流入し、水質悪化の要因となる。
【０００３】
出願人は、特許第３３５４１２６号公報に示すように、法面の排水路に近接し、流入槽と分離槽とを法面の傾斜に沿うようにして階段状に各々設置し、それら相互を配水管により連結することで油分を除去する縦型の油水処理槽を提案した。
【０００４】
しかし、それらの流入槽や分離槽は、施工現場において別個のものを段を設けながら各々水平位置を保って設置し、その後、相互を連結しているため、施工に人手と日数を必要とし、また、各々がプレキャストコンクリートブロック状のもので形成されているので、重量があり、吊り上げや設置が困難な作業となっており、また、それらを設置するためには重機器類が配置できる施工現場でなければ対応できないという不便さもあった。
【０００５】
更に、設置後においてコンクリート面から漏水するおそれもあった。また、様々な不純物が混合する排水物の処理や、大量に流入したときの容量オーバーも生じていたし、そのときの流入速度を整流化するための手段にも欠けていた。
【特許文献１】特許第３３５４１２６号公報
【発明の開示】
【発明が解決しようとする課題】
【０００６】
本発明は、上記課題を解決するためになされたもので、路面排水処理槽となる流入槽及び分離槽とを一体化したもので、該処理槽内に入り込んだ排水から夾雑物を取り除き、更に、槽内での容量を大きくすることや排水の流入口や流出口の位置を流路が長くなるようにほぼ対角線となる位置に形成し、また、いくつかの仕切板を設けることにより排水を整流化しながら油分の分離を確実に行い、更に、事故により路面に多量に流出した油を一時的に回収することを可能とすると同時に、浄化することができ、また、ＦＲＰの材料を使用して軽量化することにより、大型化することができ、施工を容易とすることや重機器類を配置できない場所を含めどのような場所においても対応することを可能とし、運搬や設置のための施工期間を短縮化することを可能とした路面排水処理槽を提供するものである。
【課題を解決するための手段】
【０００７】
本発明は、上記課題を解決したもので、側壁及び底部によって囲まれた立方体を２箇所の堰板によって、流入槽、第1分離槽及び第２分離槽の３槽に形成したＦＲＰ製の路面排水処理槽において、該流入槽は、上流側の側壁上部に排水溝と連結される路面排水の受け入れ口となる流入口、第1堰板に第1流出口を各々ほぼ対角線となる位置に設け、該流入口と第1流出口との間には第1仕切板を兼ねる防波スクリーンを設けてなり、該第1分離槽は、該第1堰板に設けた第1流出口に対し第２堰板のほぼ対角線となる位置に第２流出口を設け、該第1流出口と第２流出口との間には第２仕切板を設けてなり、該第２分離槽は、該第２堰板に設けた第２流出口に対し下流側の側壁のほぼ対角線となる位置の上部に第３流出口を設け、該第３流出口の内側は該側壁に沿って形成した下部に開口を設けた箱型流路ボックスと連結し、外側は排水管と連結してなる事故対策と浄化を目的とする路面排水処理槽を特徴とする。
【０００８】
また、防波スクリーンは、多数の縦方向の棒状体を間隔を有して形成し、その上部に板状体の第1仕切板を設けてなり、上流側側壁と第1堰板間に架け渡ししてなる事故対策と浄化を目的とする路面排水処理槽を特徴とする。
【０００９】
更に、防波スクリーンは、上流側側壁と第1堰板間に着脱自在或いは一体的に架け渡してなる事故対策と浄化を目的とする路面排水処理槽を特徴とする。
【００１０】
また、第２仕切板は、板状で底部側に開口部が生じるように第1堰板と第２堰板間に架け渡ししてなる事故対策と浄化を目的とする路面排水処理槽を特徴とする。
【発明の効果】
【００１１】
本発明は、土砂、草木、塵埃、タイヤ屑等の各種夾雑物や油分等を含む路面からの排水を一つの路面排水処理槽によって、不純物や油分等の浮遊物と土砂等の沈殿物とを分離し、浄水のみを効率的に別途排出処理することを可能とした。
【００１２】
また、該路面排水処理槽は、堰板と仕切板とを適切な位置に配置すること及び路面排水の流入口と流出口とをほぼ対角線となる位置に配置することにより槽内の流路を長くすることができ、一つの処理槽で分離処理を効率的に達成することを可能とした。
【００１３】
更に、該路面排水処理槽をＦＲＰ製とすることにより軽量化でき、大型化も可能とし、且つその運搬及び設置を容易としたので、従来より使用されていた通常の法面の他、側道のない長大法面や民地や森林が近接する場所或いは施工機械を使用できない橋梁の根元等の様々な場所に設置することを可能とし、且つその施工期間を大幅に短縮することを可能とした。
【００１４】
また、ＦＲＰ製のため強度的或いは耐候性、耐熱性、耐薬品性に優れ、漏水や錆びたり腐ったりするおそれがなくなった。
【発明を実施するための最良の形態】
【００１５】
本発明の最良の実施の形態を以下図面を用いて説明する。
【実施例１】
【００１６】
本発明の事故対策と浄化を目的とする路面排水処理槽１は、ＦＲＰ製で軽量化したもので、一般道路や高速自動車道路等の道路面から側溝やマス等に集められた路面排水の回収及びそれらを浄化するために該道路の法面や道路の橋梁の根元或いは平坦地での道路側面等に設置するものである。
【００１７】
道路面からの排水には、土砂、塵埃、タイヤ屑等の各種不純物の他、オイル等の油分が含まれている。また、事故等によって路面に多量の油分が流出することがある。該路面排水処理槽１は、上記各種不純物を除去する他、多量の油分も除去し、夾雑物混入の排水を浄化した水として処理することになる。
【００１８】
上記路面排水処理槽１は、図１に示すように、流入槽２と第1分離槽３及び第２分離槽４とよりなる有底５の側壁６によって囲まれた立方体として形成している。
【００１９】
該流入槽２は、図２に示すように、排水の上流側となる側壁６の上部側に、該路面排水を受け入れるための受け入れ口となる流入口７、７´を形成する。該流入口７、７´は、側壁６の上部側の左右いずれか或いは他の側壁６´の上部側に切欠部を設け、必要に応じてコ字型の突出枠８を形成する。上記流入口７、７´の位置は、路面排水処理槽１の設置する場所によって適宜変えることができる。所定範囲の路面からの排水を側溝等に集め該流入口７、７´より流入させる。集中豪雨時等に路面から排出される排水を受け入れることができる大きさとする。
【００２０】
該流入槽２には、図３、４に示すように、該流入槽２を横断分割するようにして多数の棒状体を間隔を有して並設した防波スクリーン９及びその上部に第１仕切板１０を設けている。図に示す該防波スクリーン９の棒状体はその突出長さを変えるようにして固定している。長さは適宜調節したり或いは選択できるようにしても良いし、着脱自在としても良い。この長さの相違により大小の不純物を分離して捕獲することができる。図４に示すように、これらは側壁６と第1堰板１１との間に跨るようにして設けている。
【００２１】
多数の棒状体よりなる防波スクリーン９は、路面排水内に含まれる草木、塵埃、タイヤ屑等の不純物の内、ある程度の大きさのものを除去することができる。流入槽２の底５側から所定間隔を有して立ち上がるようにし、その上部の第1仕切板１０の上端が側壁６と同程度までの高さとなるように設置する。上記防波スクリーン９及び第1仕切板１０は、側壁６及び第1堰板１１に図３（ｃ）に示すようなアングル部材を介して着脱自在に設置することができるし、また、予め本体と一体的に製造することも可能である。
【００２２】
第1仕切板１０は、板状体により流入槽２の上部側を閉塞する形状とし、該第1仕切板１０により流入槽２内に流入する排水の流速の緩和及び乱流を消波させることができ、且つ排水より浮いた油分や防波スクリーン９で捕獲できなかった小さな不純物が第１分離槽３側へ流入することを防止することができる。
【００２３】
該第1堰板１１は、流入槽２と第1分離槽３とを仕切っており、該第1堰板１１の上部には第1流出口１２を設け、油分及び相当程度の不純物を除去した排水を第1分離槽３へ流出させる。該第1流出口１２は、流入口７、７´に対してほぼ対角線となる対向する側の位置に形成することにより排水の流路を長くしている。
【００２４】
上記流入槽２は、側溝等から勢いよく流入した路面排水を上記したように、側壁６、６´防波スクリーン９、第1仕切板１０及び第1堰板１１並びに流入口７、７´と第1流出口１２とを流入槽２のほぼ対角線に位置する箇所に設けることにより整流化すると同時に、油分や不純物等の浮遊物を相当程度分離することができる。
【００２５】
第1分離槽３は、主として油分を分離する槽で、該第1分離槽３を２分割するようにして第1堰板１１と第２堰板１３との間に跨るようにして第２仕切板１４を設ける。第２仕切板１４は、その上部は側壁６の高さよりやや低くし、下部側は底から一定の高さまで開放している。開放の位置や高さは必要に応じて適宜選択することができる。
【００２６】
また、該第２堰板１３は、第1堰板１１に設けた第1流出口１２とほぼ対角線となる位置の下部側に第２流出口１５を形成している。該第２流出口１５の位置や高さは必要に応じて適宜選択することができる。
【００２７】
上記第1分離槽３は、排水の流路となる第1流出口１２と第２流出口１５とが前者を上部の一隅部に位置し、後者を下部の他方側一隅部に位置するほぼ対角線となる対向位置に設けているので、排水の経路を長くすることができ、整流化を促進することができる。また、整流化された路面排水は、上部に油等の浮遊物を浮上させ、浄水との分離を一層促進させることができる。
【００２８】
第２堰板１３の第２流出口１５から第２分離槽４へ排水が流入してくるが、この時点では多量の油等を含め多くの浮遊物はほとんど除去された浄水の状態となっている。更なる油分の除去のため第２堰板１３の第２流出口１５も底５側となる下部の一隅部を開放し、油分が第２分離槽４へ流入することを防止している。従って、第２分離槽４での排水の流路は、底５側のみとなり、槽内の排水が撹拌されることが防止され、残余の油分や浮遊物は上方側へ分離浮上されることになる。
【００２９】
該第２分離槽４の下流側に位置する側壁６、６´には、下端部と上部側面部を開放部とした箱型流路ボックス１６がその内側に必要に応じて工場等で予め取り付け固定され、油分等の浮遊物を完全に除去した状態の浄水を該側壁６、６´の上部他方側一隅部に形成した排水口１７、１７´へと導入する。流路ボックス１６の上部側面部の開放部と連結した排水口１７、１７´へ排水が導入され、排水管１８を介して下流側の側溝等に放流されることになる。上記排水口１７、１７´の位置は、図１に示す他、路面排水処理槽１の設置する場所によって適宜変えることができる。
【００３０】
図５は、上記図１、２及び４に対応する路面排水処理槽１の平面図であるが、図６に示すように、流入口７´及び排水口１７´の位置を側壁６´側に変えることが可能である。上記流入口７、７´及び排水口１７、１７´は、上記図５、６の他、それらのものの組合せとなる流入口７と排水口１７´や流入口７´と排水口１７のように、設置場所によって適宜変えることが可能である。
【００３１】
ＳＳや土砂等の比重の大きな物質は、上記流入槽２や第１、第２分離槽３、４の底５に沈殿物として溜まることになり、それら槽内に溜まった沈殿物は、バキューム等により定期的に除去することになる。
【００３２】
また、流入槽２や第１、第２分離槽３、４の上方部に分離浮上して溜まった油分は、オイル吸着マットやバキューム等の適宜手段により除去することになる。
【図面の簡単な説明】
【００３３】
【図１】本発明の路面排水処理槽の一部断面斜視図。
【図２】本発明の路面排水処理槽の側断面図。
【図３】（ａ）防波スクリーンの正面図、（ｂ）防波スクリーンの側断面図、（ｃ）防波スクリーンを側壁及び第１堰板に取り付けるためのアングル材の側面図。
【図４】本発明の路面排水処理槽の正面断面図。
【図５】本発明の路面排水処理槽の平面図。
【図６】本発明の路面排水処理槽の他の実施例の平面図。
【符号の説明】
【００３４】
１          路面排水処理槽
２          流入槽
３          第１分離槽
４          第２分離槽
５          底
６、６´    側壁
７、７´    流入口
８          突出枠
９          防波スクリーン
１０          第１仕切板
１１          第１堰板
１２          第１流出口
１３          第２堰板
１４          第２仕切板
１５          第２流出口
１６          流路ボックス
１７、１７´  排水口
１８          排水管
【図２】
0004963448.tif 000002
【図３】
0004963448.tif 000003
【図４】
0004963448.tif 000004
【図５】
0004963448.tif 000005
【図６】
0004963448.tif 000006
【図１】
0004963448.tif 000007